(57)【特許請求の範囲】
【請求項１】
パイル織物で、パイル経糸（Ａ）と地経糸（Ｂ）とを経方向に向けて交互に配列し、且つ、パイル経糸（Ａ）を任意の本数づつ上下に分けて上部タオル地用と下部タオル地用とし、これらと同様に地経糸（Ｂ）も上部、下部タオル地用に分けて、これら両者の上部側同士の経糸を上部タオル地用経糸として、同様に下部側同士の経糸は下部タオル地用経糸としたものに夫々、緯方向に向けた緯糸（Ｃ）を交互に、又は、任意数ずつ織り込み、上部側タオル地と下部側タオル地が重合状態で任意の形で作られた（Ｄ）部分が織成され、これと隣接して同時に織成される、該パイル経糸（Ａ）と地経糸（Ｂ）とを経方向に向けて交互に配列したものに上記の（Ｄ）部分に使用した緯糸（Ｃ）を兼用し、該緯糸（Ｃ）が６本（又は８本）で１個のパイルが形成するように織り込まれてなる一重のタオル織物（ｅ）とが組み合わされていることを特徴とする二層のタオル織物。
【発明の詳細な説明】
【０００１】
【発明の属する技術分野】
本願発明は、パイルが形成されたタオル地が上部側と下部側の二枚で構成されて重合状態でなる、二層のタオル織物に関する。
【０００２】
【従来の技術】
従来の表と裏にパイルを形成するタオル織物は、一重（一枚）で織成されたタオル地であり、例えば、図（１３）に示す、緯糸３本織り込んで１個のパイルを形成する経方向の断面図等があり、この（Ａ１・Ａ３）のパイル経糸は表面にパイルが現出する浮き組織で、（Ａ２・Ａ４）のパイル経糸は裏面にパイルが現出する沈み組織である。この他にも緯糸４本織り込んで１個のパイルを形成する方法もある。
【０００３】
この種のタオル織物では、用途によってボリューム感のある厚地のタオル地を必要とする場合はパイルの長さ（パイルの立ち上がりの高さ）を長く形成したり、パイル経糸や、地経糸、緯糸等の使用する糸の大きさを太い番手にしたり、また、使用する糸の本数を増加する（例えば、パイル経糸が１本使いのものを２本使いにする）等の方法で行ってきた。
【０００４】
そして、柄出しを行なうには、パイル経糸、地経糸、緯糸等を染色した色糸を組み合わせた色彩によるものに、パイルの現出方向による、例えば、パイルの見える箇所（浮き組織）とパイルの見えない箇所（沈み組織）等の表現を加えて柄出しをしている。
【０００５】
【発明が解決しようとする課題】
従来の一重（一枚）で織成されたタオル織物において、用途によりボリューム感のある厚地のタオル地を求められた場合、形成するパイルの長さを長くするように調整すれば良いが、パイルの立ち上がり高さは６ミリメートルぐらいまでが製織上の限界で、これ以上製品にボリューム感を付与するには困難である。
また、ボリューム感を出す為に、使用する経糸及び緯糸を大きい太番手の糸に変更したり、パイル経糸の本数を増やした２本使いにすれば良いが、実際問題として、これらの糸使い（太番手等）により製織するには、筬は密度の粗いものを使った特別な織り仕掛けを設定しなければならず、そうすると、この粗い織物だけを限定して製織しなければならず、現在のような多品種、小ロット生産、短期納品等の実状に対応できにくい。
現況のタオル会社の多くは、一般向けする密度が中ぐらいの筬を設定した織り仕掛けで、やや厚地からやや薄地までの広範囲に渡る織物が受注できるように対応している。ですから、特別に太番手の糸や、パイル経糸の本数を増やした糸使いは製織上、困難となり、この方法でボリューム感を付与するにも制約がある。
また、柄出しにおいては、経糸、緯糸等の糸染めによる色彩に、パイルの現出方向によるパイルの見え（浮き）隠れ（沈み）等を加えた表現によるもので、いずれもパイルに形成されたパイル経糸の線状による集合体で表現され、このタオル地を使用するにあたり、パイルは線状の糸であり、不規則にねじれ、倒れて寝てしまい、立体感のある際立った柄出しができないという欠点があった。
【０００６】
本願発明は、従来のタオル織物における上記問題点に鑑み、パイルが形成されたタオル地を上部側タオル地と、下部側タオル地の二層の構造にして、面状の態様によりボリューム感を出すので現在設定してある織り仕掛けや、糸使いによっても容易にボリュウーム感を付与できるので、顧客への対応も可能にし、また、従来のタオル織物と組み合わせて織成できるので、今迄の柄出し表現の外に、立体模様も表現できたタオル地が二層のタオル織物を提案することを目的としている。
【０００７】
【課題を解決するための手段】
本願発明は、上記目的を達成するための手段として次の構成を有している。本願のパイル織物は、上部側タオル地と下部側タオル地が重合状態で織成された二層のタオル織物である。
プリント柄をのせる場合のタオル地であれば、パイル経糸、地経糸、緯糸のすべて同色の糸、例えば白色でも良いが、便宜上、上記の経緯糸とも異色（例えば、赤色と青色、その他何色の組み合わせでもよい）の糸を使用している。そして、それぞれ２種類のパイル経糸（赤色と青色）、地経糸（赤色と青色）を経方向に向けて交互にパイル経糸（赤色）、地経糸（赤色）、パイル経糸（青色）、地経糸（青色）順の完全で繰り返し配列する。そして、これらのパイル経糸（赤色と青色）と地経糸（赤色と青色）とをそれぞれ色別に上部と下部とに分けて、上部側に分けられたパイル経糸（例えば赤色）と地経糸（例えば赤色）の組み合わせたものを上部タオル地用経糸（赤色）として、もう一方の下部側に分けられたパイル経糸（青色）と地経糸（青色）の組み合わせたものを下部タオル地用経糸（青色）として、２種類の緯糸（赤色と青色）の内、緯糸（例えば赤色）を緯方向に向けて上部タオル地用経糸（赤色）に織り込み、次に下部タオル地用経糸（青色）に緯糸（青色）を織り込み（または、この逆の下部から上部への順序で織り込んでもよい）、これらを交互（または、変則的）に繰り返し、上部、下部ともそれぞれに例えば緯糸本数が３本（または４本）づつの単位でパイルを形成しながら上部側のタオル地は赤色で、下部側のタオル地は青色の重合状態でボリューム感のある二層のタオル地として織成されてある。
また、この逆に織り組織を変えることで、下部タオル地用経糸（青色）を上部側へ現出して緯糸（青色）を織り込み、次に上部タオル地用経糸（赤色）を下部側へ現出して緯糸（赤色）を織り込み、交互（または変則）に繰り返し上部側のタオル地は青色で、下部側のタオル地は赤色で織成することもできる。
従って、例えば始めに上部側のタオル地を赤色（この時、下部側は青色）で経方向に所定長さを織成後、続いて織り組織を変えて下部側の青色を上部側へと現出して青色のタオル地を織成すると（この時、下部側は赤色）、赤色と青色の組み合わされたタオル地が上部側に表現できて連続させると赤色と青色の横縞表現となる。
そして、この時の上部、下部側のタオル地は、パイル経糸、地経糸、緯糸とも同色で構成されるので、赤色及び青色の色彩は鮮やかな色で表現できる。
また、その赤色から青色へと変わる境界は、上部タオル地用経糸と下部タオル地用経糸とが交差し、上部側タオル地と下部側タオル地とを連結する部分が多くその結着は強固である。
【０００８】
また、これらに準じた他の方法として、上記の上部タオル地用経糸と下部タオル地用経糸の全体をそれぞれ上下に交替して現出させたものではなく、上部及び下部用経糸両者のパイル経糸だけを上部側から下部側（または、この逆に）へ現出方向を変えて（交替させて）織成される。この場合、始めに上部側へ経緯糸全部が赤色のタオル地で、次に上部側へパイル経糸は青色、地経糸は赤色のままで、緯糸は青色、の混色でタオル地は織成される。
また、これらと同様に上・下部タオル地用経糸両者の地経糸だけを上部から下部（または、この逆に）へ現出方向を変えて織成することもできる。
【０００９】
そして、上部側及び下部側のタオル地のパイルの現出方向は、従来のタオル織物と同様に浮き、沈み組織により自由に表現できる。そして、この上・下部側タオル地の二層の中空間部を内部側として説明すると、上部側タオル地のパイルの現出方向において、浮き組織は上部側にパイルが見えるように形成され、沈み組織は内部側へ現出し隠れて上部側へは見えない。下部側タオル地の浮き組織は内部側へ現出し隠れて、沈み組織は下部側に現出してパイルが見える。
このように、上・下部側の二層のタオル地の内部側（中空間部）へもパイルを現出させると、より嵩高くなり、ボリューム感は増す。
【００１０】
上記の二層のタオル織物が織機の機種により織成しにくい場合は、地経糸同士の交差点が少ない組織にするとよい。
【００１１】
また、その他に緯糸構成を変えたもので、上・下部側のタオル地の各パイルを緯糸４本づつで形成する、合計緯糸８本構成で織成することもできる。
【００１２】
また、他にはパイル経糸と地経糸の組み合わせる本数を変えた応用例として、パイル経糸１本に対して地経糸は２種類の２本で、あるいは、２種類のパイル経糸２本に対し地経糸は１本の組み合わせで構成する特別な織り仕掛けによってもできる。この時の上・下部側タオル地のそれぞれのパイル形成は、前述と同様の各緯糸３本（または４本）構成で織成される。
【００１３】
また、他の実施例として、上記の上・下部側タオル地にそれぞれ、１個づつのパイル形成する各緯糸３本の内の、１本を上・下部側の両方に共用して（上部用２本、下部用２本、両方が共用する１本の緯糸）合計緯糸５本で構成したものであって、共用する緯糸１本を織り込んだ箇所の上・下部側タオル地は結合され、小きざみの重合状態で目立ちにくいが、織り効率はよい。
【００１４】
また、本願の二層構造のタオル地と従来のタオル織物とを組み合わせて織成することもできる。この時の組み合わせ方を２つに大別すると、１つは本願の二層のタオル地だけで経方向に所定長さ織成して、次に従来のタオル織物だけで織成する。このように、２つの異なるタオル織物を交互に織成した組み合わせ表現。
もう１つは、例えば従来のタオル織物で、そのタオル地の任意の箇所へ他の生地を柄模様としてアップリケをしたものと仮定すると、全体のベースとなるタオル地部分は従来のタオル織物で織成されて、柄模様のアップリケ部分は本願の二層のタオル地に置き替えられて織成したもの。（また、この逆の二層のタオル地をタオル地全体のベース部分とし、従来のタオル織物を柄模様のアップリケ部分とすることもできる）このように部分的な組み合わせの表現。この時のアップリケ部分が在る箇所では緯方向の同一線上にはベース部分も隣接して存在する。この時の従来のタオル織物（一重）で織成されるベース部分は上・下部タオル地用経糸を合同したパイル経糸と地経糸とを経方向に向けて交互に配列する一方、緯方向に向けて織り込まれる緯糸は、もう一方の柄模様を織成する本願の二層のタオル地である上部側タオル地の１個のパイルを形成する例えば緯糸３本（または４本）と、下部側タオル地の１個のパイル形成する緯糸３本（または４本）の両方に織り込まれた合計６本（または８本）の緯糸を共用して１個のパイルを形成する。このように、緯糸構成を変形した従来のタオル織物（一重）に、ボリューム感のある本願の二層のタオル地とを組み合わせる事で際立った立体感のある柄出し表現ができるようになった。
【００１５】
【発明の実施の形態】
以下、図１から図１２を参照して本題の実施形態を説明する。
図１は、本願の二層のタオル織物と従来のタオル織物とを組み合わせ織成した上面側より見た状態を示し、図２は、二層のタオル部分における上・下部用経糸ａ・ｂが交替する状態の経方向断面図を示し、図３は、図２の組織図を示し、図４から図８は、図２を変形した例を示し、図９から図１２までは、緯糸構成を変形した従来のタオル織物の経断面図を示す。尚、図中における符号Ａ・Ｂ・Ｃに付した下つき番号は、図と図との位置関係を表すために便宜的に付したものである。
図１の本願の二層のタオル織物Ｄ部分の織成においては、図２、図３に示す、例えば、それぞれ異色のパイル経糸Ａ１・Ａ３（赤色）、Ａ２・Ａ４（青色）と、地経糸Ｂ１・Ｂ３（赤色）、Ｂ２・Ｂ４（青色）を経方向に向けて、交互にＡ１、Ｂ１、Ａ２、Ｂ２、Ａ３、Ｂ３、Ａ４、Ｂ４と並べたものを繰り返し配列する。そして、パイル経糸Ａ１・Ａ３（赤色）と地経糸Ｂ１・Ｂ３（赤色）の１群を上部タオル地用経糸ａとし、もう一方のパイル経糸Ａ２・Ａ４（青色）と地経糸Ｂ２・Ｂ４（青色）の１群を下部タオル地用経糸ｂとする一方、異色の緯糸Ｃ（例えば赤色と青色）の内、１本目の緯糸Ｃ１（赤色）を緯方向に向けて上部タオル地用経糸ａ（赤色）に織り込み、次に２本目の緯糸Ｃ２（青色）を下部タオル地用経糸ｂ（青色）に織り込み、これらを交互にＣ３、Ｃ４、Ｃ５、Ｃ６の６本目を織り込むと同時にファーストピックで織口まで筬打ちし（この時筬打ちに負荷が掛かり織成できにくい場合は、巻取り停止装置を活用したり、図６の交差点の少ない地経糸組織にすればよい）、上・下部側のタオル地（図１）にそれぞれ緯糸３本で形成するパイルが各１個づつ現出される。この時の経糸の現出方向を示すＦの組織で経方向に任意長さを示すＬ１の範囲まで繰り返し織成すると上部側のタオル地は赤色で、下部側のタオル地は青色の重合状態で中空間部を有する保温性のよい、ボリューム感のある二層のタオル織物となる。
また、この逆に織り組織を変えることで下部タオル地用経糸ｂ（青色）を上部側へ現出し緯糸Ｃ７（青色）を織り込み、次に上部タオル地用経糸ａ（赤色）を下部側に現出して緯糸Ｃ８（赤色）を織り込み、これらを交互にＣ９、Ｃ１０、Ｃ１１、Ｃ１２の６本目を織り込むと同時にファーストピックで織口まで筬打ちし、この時の経糸の現出方向を示すＧの組織で経方向に任意長さを示すＬ２の範囲まで繰り返し織成すると上部側のタオル地は青色で、下部側のタオル地は赤色の重合状態で二層のタオル織物となる。
従って、上記の上部側に見える赤色のタオル地（図１のＬ１）と青色のタオル地（図１のＬ２）を交互に繰り返すと、上部側に見えるタオル地は、赤、青色の横縞表現となる。そして、この時の上・下部側タオル地は、パイル経糸、地経糸、緯糸とも同色で構成され、しかも二層のタオル地であるので、従来の一重のタオル地のように織り込まれた経糸、緯糸の色糸が透けて混色で見えるのではなく、鮮明な赤色、青色の色彩で表現できる。
また、上部側のタオル地が赤色から青色に変わる境界（図１のＨ）は、上・下部タオル地用経糸（図２のａ・ｂ）が交差し、それぞれの上・下部側タオル地とを連結する部分が多く、その結着は強固である。
【００１６】
また、これに準じた実施例として、図２を参考にして説明すると、上述の上・下部タオル地用経糸ａ・ｂの内、上・下部の各パイル経糸Ａ１、Ａ３（赤色）・Ａ２Ａ４（青色）だけを上部側から下部側へ（ＦからＧ）、またこの逆に（ＧからＦ）現出方向を変えてそれぞれ（ＦまたはＧの位置で）経方向に任意長さづつ、緯糸Ｃを織り込みながら織成する。この時の上・下部の地経糸Ｂ１Ｂ３・Ｂ２Ｂ４は移動せずＦの位置にある。このように、上・下部に分けてあるパイル経糸だけを上、下に交替させ織成することもできる。この時の上・下部側のタオル地の色彩は混色で表現される箇所がある。（図示しない）
また、上記同様の考え方で、上・下部の地経糸Ｂ１Ｂ３・Ｂ２Ｂ４だけを上、下に交替させ織成することもできる。（図示しない）
【００１７】
図４は、本題の二層のタオル織物のパイルの現出方向を変えた実施例を示す経断面で、図５は、その組織図を示し、この上・下部側のパイルの現出方向は１例を示すものであり、この他にも自由にできる。そして、この織物の上・下部側タオル地の二層の中空間部を内部側（図１のｄ）として説明すると、パイルの現出方向を示す▲１▼において、緯糸Ｃ１・Ｃ３・Ｃ５を織り込んだ上部側タオル地のパイル経糸Ａ１は、浮き組織で上部側表面にパイルは見えるように現出され、パイル経糸Ａ３は沈み組織で内部側ｄへ現出したパイルは隠れて、緯糸Ｃ２・Ｃ４・Ｃ６を織り込んだ下部側タオル地のパイル経糸Ａ２は浮き組織で内部側ｄへ現出したパイルは隠れて、パイル経糸Ａ４は沈み組織で下部側表面にパイルは見えるように現出する。また、この逆にパイルの現出方向を変えたい場合は、緯糸Ｃ７からＣ１２を織り込んだパイルの現出方向▲２▼組織にすればよい。
このように、上・下部側の二層のタオル地の内部側（中空間部）へもパイルを現出させると、より嵩高くなりボリューム感は増す。
【００１８】
図６は、地経糸組織を変えた実施例を示す概略経断面であり、上述の二層のタオル織物は緯糸６本の構成であるので従来のタオル織物（緯糸３本または４本構成）と比べ、ファーストピック時の筬打ちにかかる負荷は大きく、織機の機種によっては織成しにくい。そこで図に示すように地経糸同士の交差する箇所を１ヶ所にして、例えば上部の地経糸Ｂ１とＢ３では緯糸Ｃ３とＣ５（またはＣ５とＣ７）間、下部の地経糸Ｂ２とＢ４では緯糸Ｃ４とＣ６（またはＣ６とＣ８）間にしてこの問題を解消するものである。ようするに、各地経糸は緯糸３本毎に浮いたり沈んだりする。
【００１９】
図７に示される実施例は、図４の緯糸６本構成を８本に変形したものであり、詳しくは、上部のパイル経糸Ａ１・Ａ３と地経糸Ｂ１・Ｂ３に緯糸Ｃ１・Ｃ３・Ｃ５・Ｃ７の４本を、下部のパイル経糸Ａ２・Ａ４と地経糸Ｂ２・Ｂ４に緯糸Ｃ２・Ｃ４・Ｃ６・Ｃ８と４本の緯糸をそれぞれ織り込み、この時の８本目に織り込まれる緯糸、例えばＣ８（またはＣ７）時にファーストピックで筬打ちし、上・下部側のタオル地にそれぞれパイルが形成される。しかし、緯糸８本時の筬打ちにかかる負荷は大きい。
【００２０】
また、図２を応用した実施例として、パイル経糸と地経糸の組み合わせ本数を変えたもので、詳しくは上述の（図２を参考）のパイル経糸（Ａ１）１本と地経糸（Ｂ１）１本の組み合わせのものに、更にもう１種類の地経糸（Ｂ３）１本を加えたパイル経糸１本に対し、２種類の地経糸２本としたもので、従って上部タオル地用経糸はパイル経糸（Ａ１・Ａ３）２本と地経糸（Ｂ１・Ｂ３とＢ１・Ｂ３）４本が完全となり繰り返し配列して１群となし、一方の下部タオル地用経糸もこれと同様にして、図２と同様に緯糸を織り込み上・下部側のタオル地を織成したもので、図２のものと比べて、タオル地は厚くなり、パイル抜けもしにくい。（図示しない）
【００２１】
図８に示される実施例は、上部タオル地用経糸ａに例えば、緯糸１本目と３本目のＣ１・Ｃ３を、下部タオル地用経糸ｂには緯糸２本目と４本目のＣ２・Ｃ４を、続いて上・下部タオル地用経糸ａ・ｂが合同して緯糸５本目のＣ５を織り込むと同時にファーストピックで筬打ちして、上部側に緯糸２本（Ｃ１・Ｃ３）下部側に緯糸２本（Ｃ２・Ｃ４）上・下部の結合部に緯糸１本（Ｃ５）の状態で織成される。また、この他に上部側に緯糸２本（Ｃ１・Ｃ５）下部側に緯糸２本（Ｃ２・Ｃ４）上・下部の結合部に緯糸１本（Ｃ３）としてもよい。これらの上・下部側タオル地は、緯糸５本構成で１ケ所は結合されるので重合状態はわかにくいが、織り効率はよい。
【００２２】
図１の後半側に示される実施例は、二層のタオル織物Ｄと従来のタオル織物Ｅ（緯糸３本構成）とを経方向に交互に織成したもので、段差のある織物となり、また、図柄部分１は二層のタオル織物Ｄで、図柄部分と隣接するベース部分は緯糸構成を変形した従来のタオル織物ｅ（一重）で織成されたもので図柄部分１は立体的に見える。この時のベース部分の従来のタオル織物ｅを次に述べると、
【００２３】
図９に示される実施例は、緯糸６本でパイルを形成した従来のタオル織物の経断面で、パイル経糸Ａ１・Ａ３は緯糸Ｃ１からＣ４までとＣ６は浮いて、Ｃ５は沈んでパイルの形成は表面に、パイル経糸Ａ２・Ａ４は緯糸Ｃ１からＣ４までとＣ６は沈み、Ｃ５は浮いてパイルの形成は裏面に、そして同時に、地経糸Ｂ１・Ｂ３は緯糸Ｃ１からＣ５まで浮いて、Ｃ６は沈み、地経糸Ｂ２・Ｂ４は緯糸Ｃ１からＣ５まで沈み、Ｃ６で浮き、この緯糸６本目のＣ６が織り込まれると同時にファーストピックにより筬打ちされ、従来の一重のタオル織物が織成される。この時の緯糸６本は隣接され織成される緯糸６本構成の二層のタオル織物の緯糸と共用されたものである。
【００２４】
図１０に示される実施例は、図９を変形したものであり、パイル経糸Ａ１・Ａ３は緯糸Ｃ１・Ｃ２・Ｃ５・Ｃ６は浮き、Ｃ３・Ｃ４は沈んでパイルの形成は表面に、パイル経糸Ａ２・Ａ４は緯糸Ｃ１・Ｃ２・Ｃ５・Ｃ６は沈み、Ｃ３・Ｃ４は浮いてパイルの形成は裏面に、そして同時に、地経糸Ｂ１・Ｂ３は緯糸Ｃ１からＣ４まで浮き、Ｃ５・Ｃ６は沈み、地経糸Ｂ２・Ｂ４は緯糸Ｃ１からＣ４まで沈み、Ｃ５・Ｃ６は浮いた緯糸６本構成で織成される。
【００２５】
図１１に示される実施例は、図９を変形したものであり、パイル経糸Ａ１・Ａ３は緯糸Ｃ１・Ｃ２・Ｃ４・Ｃ５・Ｃ６は浮き、Ｃ３は沈み、パイル経糸Ａ２・Ａ４は緯糸Ｃ１・Ｃ２・Ｃ４・Ｃ５・Ｃ６は沈み、Ｃ３は浮き、地経糸Ｂ１・Ｂ３は緯糸Ｃ１・Ｃ３・Ｃ４は浮き、Ｃ２・Ｃ５・Ｃ６は沈み、地経糸Ｂ２・Ｂ４は緯糸Ｃ１・Ｃ２・Ｃ３・Ｃ５は沈み、Ｃ４・Ｃ６は浮くので、緯糸６本目の筬打ち時の負荷を軽減し、パイル形成に必要な最低数の緯糸３本は地経糸に絡ませている。パイルの現出方向は図９と同じである。
【００２６】
図１２に示される実施例は、緯糸８本でパイルを形成した従来のタオル織物の経断面で、緯糸８本構成の二層のタオル織物と隣接して織成する場合に適応される。パイル経糸Ａ１・Ａ３は緯糸Ｃ１・Ｃ２とＣ４からＣ８まで浮いて、Ｃ３は沈み、パイル経糸Ａ２・Ａ４は緯糸Ｃ３は浮いて、他の緯糸箇所は全部沈み、地経糸Ｂ１・Ｂ３はＣ１・Ｃ３・Ｃ４・Ｃ８は浮き、Ｃ２・Ｃ５・Ｃ６・Ｃ７は沈み、地経糸Ｂ２・Ｂ４は緯糸Ｃ１・Ｃ２・Ｃ３・Ｃ６は沈み、Ｃ４・Ｃ５・Ｃ７・Ｃ８は浮いて、緯糸８本目がファーストピックで筬打ちされ、図９と同方向にパイルは形成される。この場合も、図１１と同様に筬打ち時の負荷を考慮してある。
【００２７】
図１３に示される実施例は、緯糸３本構成の従来のタオル織物の経断面で、パイル経糸Ａ１・Ａ３は、浮き組織でパイルの形成は表面に、パイル経糸Ａ２・Ａ４は、沈み組織でパイルの形成は裏面となる。そして、公知の通り一重の織物であるので、本願の二層のタオル織物と併用することで、意外性のある表現ができる。その他にも、緯糸４本構成の従来のタオル織物があるが図示しない。
【００２８】
以上の織り込み形態は、ジャガード機のプログラミングにより自由に設定、変更でき、図柄も適宜にできる。
【００２９】
【発明の効果】
本願発明は、以上説明したように織成されているので、以下に記載されるような効果を奏する。
【００３０】
通常の織り仕掛けの設定でも容易にボリューム感のある二層のタオル織物が織成できるので、厚地織物への商品拡大もできて、また、顧客への対応もできる。
【００３１】
二層のタオル織物の中空間部は、空気を含む層が形成されるので保温性が高まり、製品も今迄の春夏向きに限定されることなく、秋冬向きの展開もできる。
【００３２】
上・下部側タオル地とも、経・緯糸を同色で揃えて織成でき、また、二層のタオル地であるので、上・下部側どちらも相手側の色糸が透けて見えることは無いので干渉されず、鮮明な色彩で表現できる。
【００３３】
上・下部タオル地用経糸を上下に交替させることで、二層のタオル地の結着は強固となる。
【００３４】
二層のタオル織物と従来の一重のタオル織物を組み合わせ織成できるので、ボリューム感のある二層のタオル地の面状は際立ち、立体的な柄出し表現ができる。
【図面の簡単な説明】
【図１】  本願実施形態の二層のタオル織物と従来のタオル及び変形織物を組み合わせた、上面側より見た斜視図である。
【図２】  本願二層のタオル織物の上・下部タオル地用経糸が交替する経断面図である
【図３】  図２の二層のタオル織物の組織図である。
【図４】  図２の二層のタオル織物の変形例を示す経断面図である。
【図５】  図４の組織図である。
【図６】  図２の地経糸組織を変形した概略経断面図である。
【図７】  図４の変形例で緯糸８本構成で示す経断面図である。
【図８】  本願二層のタオル織物の変形例で緯糸５本構成で示す経断面図である。
【図９】  従来のタオル織物の変形例で緯糸６本構成で示す経断面図である。
【図１０】  図９の変形例を示す経断面図である。
【図１１】  図９の変形例を示す経断面図である。
【図１２】  従来のタオル織物の変形例で緯糸８本構成で示す経断面図である。
【図１３】  従来のタオル織物の経断面図である。
【符号の説明】
Ａ  パイル経糸              Ｅ  従来のタオル織物
Ｂ  地経糸                  ｅ  緯糸構成を変形した従来のタオル織物
ａ  上部タオル地用経糸      Ｆ、Ｇ  経糸の現出方向を示す
ｂ  下部タオル地用経糸      ▲１▼、▲２▼  パイルの現出方向を示す
Ｃ  緯糸                    Ｈ  境界
Ｄ  二層のタオル織物        Ｉ  図柄部分
ｄ  内部側
【図１】
0004538944.tif 000002
【図２】
0004538944.tif 000003
【図３】
0004538944.tif 000004
【図４】
0004538944.tif 000005
【図５】
0004538944.tif 000006
【図６】
0004538944.tif 000007
【図７】
0004538944.tif 000008
【図８】
0004538944.tif 000009
【図９】
0004538944.tif 000010
【図１０】
0004538944.tif 000011
【図１１】
0004538944.tif 000012
【図１２】
0004538944.tif 000013
【図１３】
0004538944.tif 000014